(57)【要約】【課題】  水中に鋼杭を打設するときに、発生する濁水の拡散をほぼ完全に防止することを目的とするものである。【解決手段】  水中２に杭１を打設するに際し、杭１のまわりを濁水拡散防止体４で囲い、その濁水拡散防止体のまわりをさらに外側フェンス３で囲い、濁水拡散防止体内の濁水を濁水処理設備７に導き、浄化された水を水中２に戻すようにした濁水浄化方法。【選択図】      図１
2007077634.tif 000002
【特許請求の範囲】
【請求項１】
水中に杭を打設するに際し、杭のまわりを濁水拡散防止体で囲い、その濁水拡散防止体のまわりをさらに外側フェンスで囲い、濁水拡散防止体内の濁水を濁水処理設備に導き、浄化された水を水中に戻すようにした濁水浄化方法。
【請求項２】
濁水拡散防止体内の濁水を、濁水拡散防止体内の水中に設けたポンプで濁水処理設備に導くようにした請求項１に記載の濁水浄化方法。
【請求項３】
濁水拡散防止体内に仕切り体を設け、その一方に杭を、他方にポンプを位置させるようにした請求項１又は２に記載の濁水浄化方法。
【請求項４】
濁水拡散防止体の下端全周を濁水漏出防止材で囲むようにした請求項１、２又は３に記載の濁水浄化方法。
【請求項５】
濁水拡散防止体の上方に、上下にスライド自在の別の濁水拡散防止体を設けた請求項１、２、３又は４に記載の濁水浄化方法。
【請求項６】
濁水拡散防止体を、水底から立設した枠組体上の固定部材により固定するようにした請求項１、２、３、４又は５に記載の濁水浄化方法。
【請求項７】
濁水拡散防止体とその固定部材とに、夫々設けた凹部又は凸部を、相手の凸部又は凹部に嵌合するようにした請求項６に記載の濁水浄化方法。
【発明の詳細な説明】
【技術分野】
【０００１】
本発明は、水中で鋼杭打ちを行う際に発生する濁水を浄化する方法に関する。
【背景技術】
【０００２】
近年、自然環境への配慮から、水中に鋼杭を打設する場合には、少しでも濁水が水中に拡散することを防止するよう考慮し、そのために鋼杭打ちの作業に際しては、その鋼杭の周囲を管状物、箱状物又はフェンス等で囲い、発生した濁水を拡散しないようにする工法が一般に用いられているが、（例えば、特許文献１）それらの工法はいずれも充分な濁水の拡散防止を行うことができない欠点を有する。
【０００３】
かゝる方法は、浚渫・埋立工事や石材、砂を投入する際等に発生する濁りが広範囲に拡散することを防止するためなどにも採用されている。
【０００４】
例えば、水中に垂下するカーテン部とそれを浮かすためのフロート部及び係留部からなっており、カーテン部で浮遊粒子の接触、沈降を促進し、濁りの拡散を防止する。
【０００５】
しかし、いずれも完全な濁水の拡散を防止することは困難であるのが実情である。
【特許文献１】特開平７−１９７４６１号公報
【発明の開示】
【発明が解決しようとする課題】
【０００６】
本発明は、水中に鋼杭を打設するときに、発生する濁水の拡散をほぼ完全に防止することを目的とするものである。
【課題を解決するための手段】
【０００７】
本発明は、かゝる課題の解決のために次の手段を用いた。
即ち、水中に杭を打設するに際し、杭のまわりを濁水拡散防止体で囲い、その濁水拡散防止体のまわりをさらに外側フェンスで囲い、濁水拡散防止体内の濁水を濁水処理設備に導き、浄化された水を水中に戻すようにした濁水浄化方法である。
【０００８】
また、かゝる濁水拡散防止体内の濁水を濁水処理設備に導くに際しては、濁水拡散防止体内の水中に設けたポンプにより行うようにする。
【０００９】
そしてその際に、濁水拡散防止体内に仕切り体を設け、その一方に杭を、他方にポンプを位置させるようにして濁水を浄化する。
【００１０】
さらに、かゝるそれらの濁水浄化に於いては、次に示す構成をも採用するようにする
。
【００１１】
即ち、濁水拡散防止体の下端全周を濁水漏出防止材で囲むようにしたり、濁水拡散防止体の上方に、上下にスライド自在の別の濁水拡散防止体を設けたり、さらにまた、濁水拡散防止体を、水底から立設した枠組体上の固定部材により固定するようにして打設したり、また濁水拡散防止体とその固定部材とに、夫々設けた凹部又は凸部を、相手の凸部又は凹部に嵌合するようにしたりすることにより濁水を浄化する方法の発明からなる。
【発明の効果】
【００１２】
１．本発明は打設杭のまわりを二重に囲い、かつ打設杭の直近の囲い内の濁水をポンプ    で汲み上げて、濁水処理設備で浄化して水中に戻すようにしたから、杭打ちにより生ず  る濁水の水中への拡散をほぼ完全に防止でき、しかも濁水を浄化して元の水中に戻すの  で、他に排出水の排出場を設ける必要がない。
２．濁水の排出を濁水拡散防止管内に取付けたポンプにより行うことができるので、濁水  の排出を強力に、かつ確実に行うことができるだけでなく、ポンプを濁水拡散防止管内  に設けて行うので、他にポンプ用の場所を求める必要がない。
３．濁水拡散防止管内を仕切り体で左右に分け、一方に打設杭を、他方にポンプを設ける  ようにしたから、間違って打設杭によりポンプを傷つけたりすることがなく、安全な作  業を行うことができる。
４．濁水拡散防止体の下端全周を濁水漏出防止材で囲むようにしたから、濁水が濁水拡散  防止体の下端から外方に漏出することなく、濁水の浄化を完全に行うことができる。
５．濁水拡散防止体の上方をスライド自在として、水深や波浪に対応できるようにしたか  ら、水深などの変化に対して容易に対応でき、濁水の上方からの拡散防止に寄与できる。
６．枠組体を作り、そこに濁水拡散防止体を固定する固定部材を設けたから、傾斜地盤に  おいても濁水拡散防止体を正確に、容易に垂直に打設することが可能である。
７．濁水拡散防止体と、その固定部材とに、夫々凹部と凸部を設け、それらを嵌合するよ  うにしたから、両者の横ずれが生じず、打設を円滑に行うことができる。
【発明を実施するための最良の形態】
【００１３】
本発明の基本構成は図１に示すとおりである。即ち鋼杭１を水中２に打設するに際し、まずその周辺を外側フェンス３で鋼杭１の打設位置のまわりを包囲する。この外側フェンス３は一般にシルトフェンスと称されるものであり、その内側に発生する濁水をその外側に流出しないようにしたものである。
【００１４】
そして次に、鋼杭１を打設する位置のすぐ傍の周囲を濁水拡散防止体である濁水拡散防止管４で囲み、この場合発生する濁水が濁水拡散防止管４の外に漏れ出ないように地盤と濁水拡散防止管４との間に間隙が発生しないように注意する。
【００１５】
かくして鋼杭１の打設を行うと、濁水拡散防止管４内には濁水が発生する。そこでその濁水を、濁水拡散防止管４内に取付たポンプ５により吸引し、排出管６を経由して濁水処理装置７に導き、一般の濁水処理装置により水質基準に達するまで濁水を浄化し、その浄化した浄化水を放出管８を経由して元の水中２に戻す。
【００１６】
つまり本発明は、鋼杭１の打設を二重の囲いをして行う。即ち外側フェンス３と鋼杭１の傍に設けた濁水拡散防止管４とにより二重に濁水の拡散を防止し、しかも濁水拡散防止管４内の濁水をポンプ５により一旦外に取り出し、その濁水を地上の濁水処理装置７で浄化して元の水中２に戻すから、浄化した水の処理のために他の放出場所を設ける必要がないだけでなく、濁水拡散防止管４から少しでも濁水が外側に漏出しても、その外側の外側フェンス３により完全に食い止めることができるのである。
【００１７】
図２の（Ａ）図は、一本の濁水拡散防止管４の中に、ガイドフレーム９を上下方向に３本取付けたところを示す正面図であり、図３の（Ａ）図はその平面図を示す。
【００１８】
図２と図３の各（Ａ）図に示すように、一本の濁水拡散防止管４の中に、仕切り体であるガイドフレーム９を設け、それをはさんで図で左側には鋼杭１を取付け、その右側には水中ポンプ５を設け、その水中ポンプ５で吸引した濁水は排水管６を経由して濁水処理装置７に導かれ、浄化された浄化水は放出管８から水中２に放出され、戻される。その際使用する濁水拡散防止管４にガイドフレーム９を用いたのは、鋼杭１の上下運動の際に、間違って鋼杭１が水中ポンプ５に接触したり、排水管に衝突することのないように仕切る役目を果たすためのものであり、この設置により鋼杭１による水中ポンプ５や排出管６を破損しないようにしたのである。
【００１９】
また他方、図２および図３の各（Ｂ）図は、連続杭Ｓを打設する際に、複数の杭を連続的に打設するために、濁水拡散防止箱１０を用いたところを示す正面図と平面図であって、ガイドフレーム９は図２、図３の各（Ａ）図に示すガイドフレーム９と同様の役目を果たすのである。つまり水中ポンプ５や排水管６を鋼杭１による接触等から守るためのものである。なお、図２および図３には、図１に示す外側フェンス３の設置は省略している。
【００２０】
さらに図２および図３の各（Ｂ）図には、濁水拡散防止管４や濁水拡散防止箱１０の下端面から、濁水が外側に漏出しないように、例えば硬質ゴムからなる漏出防止材１１を、それらの濁水拡散防止管４や濁水拡散防止箱１０の下端の全周に取付け、濁水の下方からの漏出をも完全に防止するようにする。
【００２１】
次に図４は、濁水拡散防止管４や濁水拡散防止箱１０が水深に比べて高さが低い場合に、その高さを調整すべくそれらの上方にスライド自在の調整管４Ａおよび調整箱１０Ａを取付けた正面図である。
【００２２】
つまり、既存の濁水拡散防止管４や濁水拡散防止箱１０では、水深が深い場合や、波浪の高い場合には濁水が上方から外側に拡散するので、色々の高さの濁水拡散防止管４や濁水拡散防止箱１０を用意することは不経済であり、不便である。そこで余分に高さの比較的高いほぼ同じ直径、同じ辺の長さの調整管４Ａや調整箱１０Ａを用意し、それらを図４のように上下にスライド可能で、適当な高さ位置に止めることができるようにしたから、濁水拡散防止管４や濁水拡散防止箱１０の高さ調整を容易に行うことができるのである。
【００２３】
さらに、図５と図６は傾斜地盤１３においても鋼杭１を傾斜地盤１３中に垂直に打設できるようにした鋼杭１の打設補助枠体１６を設け、その平面図と正面図を示しており、打設補助枠体１６は４本の支持柱１２上に四角形を形成するように横枠材１８を固設し、その打設補助枠体１６の横枠体１８内に、鋼杭１の打設位置を決めるように、濁水拡散防止管４を垂直状態になるように濁水拡散防止管４を包囲すべく濁水拡散防止管４の固定部材１４で濁水拡散防止管４を前後左右から包囲固定する。
【００２４】
かくして鋼杭１は垂直状態に安定的に固定され、上方から鋼杭１を打設するだけで傾斜地盤１３上に垂直に打設できるのである。
【００２５】
その場合、鋼杭１の下端にスパイクビット１４を取付けると打設を容易、確実に行うことができる。
【００２６】
上記の図５、図６において、濁水拡散防止管４をその固定部材１４で前後左右から挟持したが、その挟持する場合、濁水拡散防止管４と固定部材１４とが相対的な位置の移動が生じないようにするために、図７の左図に示すように濁水拡散防止管４の外側に凸部１５を取付け、それに対応する位置に、その凸部１５が嵌入する凹部１９を相手側の固定部材１４に設けることにより、凹部１９と凸部１５を結合させて濁水拡散防止管４が固定部材１４に対して相対移動をしないようにする。それにより効果的な鋼杭１の打設が可能である。
【００２７】
以上は一般に行われる鋼杭１の打設に例をとって説明したが、本発明はいわゆる、“ガンパイル工法”（登録商標）に用いると一層効果的に杭の打設をすることができる。
【００２８】
このガンパイル工法は特公昭５７−１３６９０号公報に示す工法であって、その工法は「杭本体と導水パイプとからなり、導水パイプは杭本体に対して上下方向に移動可能、かつ隣接して杭本体に取付けられてあり、杭本体の先端を振動杭打機により岩盤を打ちつけて岩盤を破砕し、その破砕した岩石を導水パイプからの噴射水で排除することにより岩盤中に杭を打込む岩盤への杭打工法」であり、この工法に本発明を適用すると使用水量も少なく、本発明の効果をより一層有効に奏することができることがわかった。
なお、上記のように濁水拡散防止管４内に水中ポンプ５を設ける代わりに、陸上にポンプ５を設けてもよいことは勿論である。
【図面の簡単な説明】
【００２９】
【図１】本発明の基本構成を示す概略図である。
【図２】（Ａ）図は本発明で使用する濁水拡散防止管の正面図であり、（Ｂ）図は濁水拡散防止箱の正面図である。
【図３】（Ａ）図は、図２の（Ａ）図の平面図であり、（Ｂ）図は図２の（Ｂ）図の平面図である。
【図４】本発明で用いる伸縮自在の濁水拡散防止管と濁水拡散防止箱の各正面図である。
【図５】本発明で用いる打設補助枠体の平面図である。
【図６】本発明の打設補助枠体の正面図である。
【図７】本発明の濁水拡散防止管と固定部材とを一体化した状態を示す平面図である。
【符号の説明】
【００３０】
１    鋼杭（杭）
２    水中
３    外側フェンス
４    濁水拡散防止管（体）
４Ａ    調整管
５    ポンプ
７    濁水処理設備
９    ガイドフレーム（仕切り体）
１０    濁水拡散防止箱
１０Ａ  調整箱
１１    濁水漏出防止材
１４    固定部材
１５    凸部
１６    打設補助枠体（枠組体）
１９    凹部
【図１】
2007077634.tif 000003
【図２】
2007077634.tif 000004
【図３】
2007077634.tif 000005
【図４】
2007077634.tif 000006
【図５】
2007077634.tif 000007
【図６】
2007077634.tif 000008
【図７】
2007077634.tif 000009